(57)【特許請求の範囲】
【請求項１】
ファン、該ファンから空気が供給される燃焼部、該燃焼部に送られる可燃燃料の流量を調整する供給量調節手段及び点火手段を備えたバーナー装置と、前記バーナー装置によって湯が沸き上げられる貯湯タンクと、商用電源から電力を供給されて充電される二次電池とを有する給湯器であって、
前記バーナー装置は、通常時、前記商用電源から電力を供給されて作動し前記貯湯タンクの湯の沸き上げを行い、停電時、前記二次電池から電力を供給されて作動し前記貯湯タンクの湯の沸き上げを行い、しかも、一回の停電につき行われる前記貯湯タンクの湯の沸き上げ回数には、上限値が設けられ、一回の停電につき行われた前記貯湯タンクの湯の沸き上げ回数が前記上限値に達した後であっても、特定の作動スイッチによって前記貯湯タンクの湯の沸き上げが行われる状態になることを特徴とする給湯器。
【請求項２】
ファン、該ファンから空気が供給される燃焼部、該燃焼部に送られる可燃燃料の流量を調整する供給量調節手段及び点火手段を備えたバーナー装置と、前記バーナー装置によって湯が沸き上げられる貯湯タンクと、商用電源から電力を供給されて充電される二次電池とを有する給湯器であって、
前記バーナー装置は、通常時、前記商用電源から電力を供給されて作動し前記貯湯タンクの湯の沸き上げを行い、停電時、前記二次電池から電力を供給されて作動し前記貯湯タンクの湯の沸き上げを行い、しかも、一回の停電につき行われる前記貯湯タンクの湯の沸き上げ回数には、上限値が設けられ、停電時の前記貯湯タンクの湯の沸き上げは、該貯湯タンク内の湯の温度が所定値以下の場合、該貯湯タンク内の湯の温度を基準にして行われ、該貯湯タンク内の湯の温度が前記所定値を超える場合、該貯湯タンクが出湯するタイミングに合わせて行われることを特徴とする給湯器。
【請求項３】
請求項２記載の給湯器において、停電時に前記貯湯タンク内の湯の温度が前記所定値以下の場合、該貯湯タンクの湯の沸き上げを開始する温度に通常時より低い温度を設定して、該貯湯タンクの湯の沸き上げを行うことを特徴とする給湯器。
【請求項４】
ファン、該ファンから空気が供給される燃焼部、該燃焼部に送られる可燃燃料の流量を調整する供給量調節手段及び点火手段を備えたバーナー装置と、前記バーナー装置によって湯が沸き上げられる貯湯タンクと、商用電源から電力を供給されて充電される二次電池とを有する給湯器であって、
前記バーナー装置は、通常時、前記商用電源から電力を供給されて作動し前記貯湯タンクの湯の沸き上げを行い、停電時、前記二次電池から電力を供給されて作動し前記貯湯タンクの湯の沸き上げを行い、しかも、一回の停電につき行われる前記貯湯タンクの湯の沸き上げ回数には、上限値が設けられ、前記貯湯タンクの湯の沸き上げは、通常時及び停電時で共に、該貯湯タンク内の湯の温度を基準に開始され、該貯湯タンクの湯の沸き上げを開始する温度は、停電時が通常時に比べて低いことを特徴とする給湯器。
【請求項５】
請求項１〜４のいずれか１項に記載の給湯器において、前記可燃燃料は液体燃料であり、前記供給量調節手段はポンプであることを特徴とする給湯器。
【発明の詳細な説明】
【技術分野】
【０００１】
本発明は、水を加熱して湯を供給する給湯器に関する。
【背景技術】
【０００２】
バーナー装置の熱を利用して水を加熱し、給湯栓（蛇口やシャワー）に湯を供給する給湯器は、バーナー装置の燃焼部に空気を供給するファンや、操作用のリモコン等、電力が供給されて作動する電動機器を多く備えている（例えば、特許文献１参照）。
給湯器は、商用電源からの電力によって、これらの電動機器を作動させ、給湯栓に対して所定温度の湯を供給する。
【先行技術文献】
【特許文献】
【０００３】
【特許文献１】特開２０１１−１６３７１１号公報
【発明の概要】
【発明が解決しようとする課題】
【０００４】
しかしながら、商用電源からの電力供給は、災害、事故等によって停止することがあり、従来の給湯器では、商用電源からの電力供給が停止した際に、給湯栓に湯を供給することができないという問題があった。
本発明は、かかる事情に鑑みてなされるもので、二次電池を備え、停電時には二次電池に蓄えられた電力を用いて作動し湯を供給する給湯器を提供することを目的とする。
【課題を解決するための手段】
【０００５】
前記目的に沿う第１〜第３の発明に係る給湯器は、ファン、該ファンから空気が供給される燃焼部、該燃焼部に送られる可燃燃料の流量を調整する供給量調節手段及び点火手段を備えたバーナー装置と、前記バーナー装置によって湯が沸き上げられる貯湯タンクと、商用電源から電力を供給されて充電される二次電池とを有する給湯器であって、前記バーナー装置は、通常時、前記商用電源から電力を供給されて作動し前記貯湯タンクの湯の沸き上げを行い、停電時、前記二次電池から電力を供給されて作動し前記貯湯タンクの湯の沸き上げを行い、しかも、一回の停電につき行われる前記貯湯タンクの湯の沸き上げ回数には、上限値が設けられる。
【０００６】
第１の発明に係る給湯器は、一回の停電につき行われた前記貯湯タンクの湯の沸き上げ回数が前記上限値に達した後であっても、特定の作動スイッチによって前記貯湯タンクの湯の沸き上げが行われる状態になる。
【０００７】
第２の発明に係る給湯器は、停電時の前記貯湯タンクの湯の沸き上げが、該貯湯タンク内の湯の温度が所定値以下の場合、該貯湯タンク内の湯の温度を基準にして行われ、該貯湯タンク内の湯の温度が前記所定値を超える場合、該貯湯タンクが出湯するタイミングに合わせて行われる。
【０００８】
第２の発明に係る給湯器において、停電時に前記貯湯タンク内の湯の温度が前記所定値以下の場合、該貯湯タンクの湯の沸き上げを開始する温度に通常時より低い温度を設定して、該貯湯タンクの湯の沸き上げを行うのが好ましい。
【０００９】
第３の発明に係る給湯器は、前記貯湯タンクの湯の沸き上げが、通常時及び停電時で共に、該貯湯タンク内の湯の温度を基準に開始され、該貯湯タンクの湯の沸き上げを開始する温度は、停電時が通常時に比べて低い。
【００１０】
第１〜第３の発明に係る給湯器において、前記可燃燃料は液体燃料であり、前記供給量調節手段はポンプであるのが好ましい。
【発明の効果】
【００１１】
第１〜第３の発明に係る給湯器は、バーナー装置が、停電時、二次電池から電力を供給されて作動し貯湯タンクの湯の沸き上げを行うので、停電時には二次電池に蓄えられた電力を用いて湯を供給することが可能である。
また、一回の停電につき行われる貯湯タンクの湯の沸き上げ回数には、上限値が設けられるので、停電時は、貯湯タンクの湯の沸き上げ回数が制限され、二次電池内の電力の消耗を抑制可能である。
【００１２】
第１の発明に係る給湯器は、一回の停電につき行われた貯湯タンクの湯の沸き上げ回数が上限値に達した後であっても、特定の作動スイッチによって貯湯タンクの湯の沸き上げが行われる状態になるので、二次電池に電力が残っているにも関わらず、貯湯タンクの湯の沸き上げができない状況を回避可能である。
【００１３】
第２の発明に係る給湯器は、停電時の貯湯タンクの湯の沸き上げが、貯湯タンク内の湯の温度が所定値を超える際に、貯湯タンクが出湯するタイミングに合わせて行われるので、放熱により貯湯タンクの湯の温度が低下したことによる、貯湯タンク内の湯の沸き上げを行う回数を低減でき、バーナー装置の作動による二次電池に蓄えられている電力の消費を抑制することができる。
【００１４】
第２の発明に係る給湯器において、停電時に貯湯タンク内の湯の温度が所定値以下の際に、貯湯タンクの湯の沸き上げを開始する温度に通常時より低い温度を設定して、貯湯タンクの湯の沸き上げを行う場合、貯湯タンク内の湯の沸き上げ回数を減らし、二次電池に蓄えられている電力の消費を抑制することができる。
【００１５】
第３の発明に係る給湯器は、貯湯タンクの湯の沸き上げが、通常時及び停電時で共に、貯湯タンク内の湯の温度を基準に開始され、貯湯タンクの湯の沸き上げを開始する温度は、停電時が通常時に比べて低いので、停電時における貯湯タンク内の湯の沸き上げ回数を低減し、二次電池に蓄えられている電力の消費を抑制可能である。
【００１６】
第１〜第３の発明に係る給湯器において、可燃燃料が液体燃料であり、供給量調節手段がポンプである場合、貯湯タンクの湯の沸き上げ回数を制限することによる省エネ効果を確実に得ることができる。これは、一般的に、ポンプが給湯器に設けられた電力を消費する電動機器の中で消費電力が大きい電動機器であるためである。
【図面の簡単な説明】
【００１７】
【図１】本発明の一実施の形態に係る給湯器の説明図である。
【図２】マイクロコンピュータの信号接続を示すブロック図である。
【発明を実施するための形態】
【００１８】
続いて、添付した図面を参照しつつ、本発明を具体化した実施の形態につき説明し、本発明の理解に供する。
図１、図２に示すように、本発明の一実施の形態に係る給湯器１０は、ファン１１、ファン１１から空気が供給される燃焼部１２、燃焼部１２に送られる液体燃料（可燃燃料の一例）の流量を調整するポンプ（供給量調節手段の一例）１３及びイグナイター（点火手段の一例）１３ａを備えたバーナー装置２１と、バーナー装置２１によって湯が沸き上げられる貯湯タンク１４と、商用電源１５から電力を供給されて充電される二次電池１６とを有している。以下、詳細に説明する。
【００１９】
給湯器１０は、図１に示すように、給水管１７から減圧弁１８を介して水が供給される貯湯タンク１４を備え、貯湯タンク１４の下部には燃焼室１９が形成されている。
燃焼室１９には、バーナー装置２１の燃焼部１２が設けられ、燃焼部１２は液体燃料（本実施の形態では灯油）を燃焼することによって発生する燃焼ガスを燃焼室１９に供給して、貯湯タンク１４内の湯を加熱する。なお、燃焼室１９は、燃焼ガスを排出する図示しない排気機構を備えている。
【００２０】
燃焼部１２には、燃焼部１２に液体燃料を供給するポンプ１３が接続され、燃焼部１２に空気を送るファン１１が取付けられている。燃焼部１２は、ポンプ１３によって液体燃料が供給され、ファン１１から空気が供給されることによって液体燃料を燃焼することができる。
貯湯タンク１４には貯湯タンク１４内の湯の温度を計測する温度センサ２０が設けられ、通常時（即ち、商用電源１５から電力が出力されている時）、バーナー装置２１は、温度センサ２０の計測温度が所定温度以下になったときに作動して燃焼部１２を燃焼させ、貯湯タンク１４内の湯を、後述のリモコン（給湯リモコン４５又は浴室リモコン４６）で設定された温度より少し高めの温度範囲で保つ。
また、バーナー装置２１には、イグナイター１３ａ（図２参照）が設けられ、本実施の形態では、燃焼部１２、ポンプ１３、ファン１１及びイグナイター１３ａが一体となったバーナー装置２１が用いられている。なお、図１ではイグナイター１３ａの記載を省略している。
【００２１】
貯湯タンク１４は、蛇口２２及びシャワー２３に設定温度の湯を供給する給湯流路２４に連結され、給湯流路２４には、浴槽２５に湯を供給する湯張り流路２６が連結されている。
給湯流路２４には、貯湯タンク１４から送られてきた湯に水を混合する混合弁２９と給湯流路２４を流れる湯の流量を調整する比例弁３０が設けられている。
貯湯タンク１４からの湯が設定温度を超えている場合、混合弁２９で貯湯タンク１４からの湯に水が混合され、蛇口２２やシャワー２３に供給される湯の温度を下げる。比例弁３０は、開度を変えて給湯流路２４を流れる湯の流量を調整する。
【００２２】
給水管１７には、混合弁２９に供給される水の温度を計測する温度センサ３１が設けられ、給湯流路２４には、貯湯タンク１４から出湯される湯の温度を計測する温度センサ３２が設けられている。
また、給湯流路２４には、混合弁２９から出た湯の温度を計測する温度センサ３３が設けられ、蛇口２２やシャワー２３に供給される湯の温度が設定温度であるか否かは、この温度センサ３３の計測温度によって検知することができる。混合弁２９における湯と水の混合比は、温度センサ３１、３２、３３の各計測温度を基にして決定される。
【００２３】
湯張り流路２６には開閉弁３４が設けられ、開閉弁３４が開かれると貯湯タンク１４からの湯が湯張り流路２６を介して浴槽２５に送られ湯張りが行われる。浴槽２５への湯張りが行われている間、貯湯タンク１４から浴槽２５に送られる湯の温度は、温度センサ３３によって計測される。バーナー装置２１の燃焼レベルは、温度センサ２０、３２、３３の計測温度を基に調整され、浴槽２５に所定温度の湯が張られるようにする。
そして、浴槽２５への湯張りが終了すると、開閉弁３４は閉じられる。
なお、湯張り流路２６には、開閉弁３４の下流側に、断水時に浴槽２５の湯が逆流するのを防止する図示しない逆流防止手段が設けられている。
【００２４】
給湯器１０には、ポンプ１３、ファン１１、イグナイター１３ａ、開閉弁３４、混合弁２９、比例弁３０及び温度センサ２０、３１〜３３をはじめとする多くの電動機器（電力を供給されて作動する機器）が設けられ、これらの電動機器には制御装置３５が接続されている。
制御装置３５は、商用電源１５と電動機器を電気的に接続する電力供給回路３６及び各種プログラムが搭載されたマイクロコンピュータ３７（演算器の一例）を備えている。電力供給回路３６及びマイクロコンピュータ３７もそれぞれ電動機器である。
【００２５】
通常時、即ち商用電源１５が電力を供給可能な状態の時、電力供給回路３６を除く電動機器には、電力供給回路３６を介して商用電源１５から電力が供給される。
マイクロコンピュータ３７は、図２に示すように、ポンプ１３、ファン１１、イグナイター１３ａ、開閉弁３４、混合弁２９、比例弁３０及び温度センサ２０、３１〜３３に信号接続され、指令信号を送信することによって、これらの電動機器を作動させることができる。
【００２６】
給湯器１０には、図１に示すように、二次電池１６が設けられ、停電時、即ち商用電源１５からの電力供給が停止した時、電動機器に対して二次電池１６から電力が供給される。
二次電池１６は、通常時に商用電源１５からの電力供給によって充電される。二次電池１６としては、鉛蓄電池、リチウムイオン二次電池等を採用することができる。
【００２７】
商用電源１５と二次電池１６の間には、商用電源１５から出力される交流電力を直流電力に変換するコンバータ３８が設けられ、二次電池１６には、コンバータ３８から直流電力が出力される。
二次電池１６の電力出力側には、インバータ３９が設けられている。インバータ３９は、停電時に二次電池１６から電力を供給されて作動し、二次電池１６から出力される直流電力を交流電力に変換する。インバータ３９から出力される交流電力は電力供給回路３６に供給される。
通常時、インバータ３９には電力が供給されず、インバータ３９は停止状態となっている。
【００２８】
インバータ３９と制御装置３５の間には、電力供給回路３６への電力の送り元を切り替えるスイッチ４０が配置されている。
スイッチ４０は、商用電源１５から供給されていた電源が遮断されると、インバータ３９と電力供給回路３６を電気的に接続する。そして、スイッチ４０は、インバータ３９と電力供給回路３６を電気的に接続している状態で商用電源１５からの電力供給が再開されると、商用電源１５と電力供給回路３６を電気的に接続する。スイッチ４０をこのように切り替えることによって、通常時、商用電源１５からの電力が電力供給回路３６に供給され、停電時に、二次電池１６からの電力がインバータ３９を介して電力供給回路３６に供給されるようにする。
【００２９】
また、二次電池１６は、図１に示すように、インバータ３９を介してサービス用コンセント４１に電気的に接続されている。給湯器１０は、停電時に、二次電池１６からの直流電力をインバータ３９で交流電力に変換し、その変換した交流電力をサービス用コンセント４１を介して外部の機器に供給することができる。
なお、二次電池１６、コンバータ３８及びインバータ３９は、制御装置３５、バーナー装置２１等と共に筐体４２内に配置されている。
【００３０】
筐体４２内には、ファン１１の作動によって外部から空気が取り込まれる給気路４３が形成され、二次電池１６は、この給気路４３においてファン１１の上流側に配置されている。そのため、二次電池１６は、ファン１１が作動中に給気路４３を流れる空気によって空冷される。
二次電池１６には、電力供給回路３６に電気的に接続された温度センサ４４が取付けられている。温度センサ４４はマイクロコンピュータ３７に信号接続された電動機器の１つであり、商用電源１５から電力を供給されて作動し、二次電池１６の表面温度を計測する。
【００３１】
マイクロコンピュータ３７は、通常時、温度センサ４４から得た二次電池１６の表面温度が所定温度（例えば４０℃以上で予め定められた温度）以上であった際に、バーナー装置２１が液体燃料を燃焼していない状態であっても、ファン１１を作動して二次電池１６を空冷する。
従って、二次電池１６は、高温状態が継続するのを抑制されている。
二次電池は一般的に高温状態が継続すると短命になるので、このファン１１による空冷は、二次電池１６の寿命を長くするのに有効である。
本実施の形態では、停電時に、二次電池１６から温度センサ４４に対して電力が供給されず（即ち、二次電池１６の表面温度は計測されない）、ファン１１の作動はバーナー装置２１が液体燃料を燃焼しているときのみに限定され、二次電池１６に充電された電力の消費を抑制する設計となっている。
【００３２】
マイクロコンピュータ３７には、図２に示すように、リビングやキッチンに配置される給湯リモコン４５及び浴室内に配置される浴室リモコン４６が信号接続されている。
給湯器１０の使用者は、給湯リモコン４５又は浴室リモコン４６を操作して、浴槽２５の湯張り温度や、蛇口２２及びシャワー２３に供給する湯の温度を設定することができる。給湯リモコン４５及び浴室リモコン４６は、入力された温度等を表示する表示部及び入力操作が行われる入力ボタンを有している。
なお、給湯リモコン４５及び浴室リモコン４６も、図１に示すように、電力供給回路３６に電気的に接続された電動機器であり、通常時は、商用電源１５から電力を供給され、停電時には、二次電池１６から電力を供給されて作動する。
【００３３】
通常時、シャワー２３及び蛇口２２への給湯と浴槽２５への湯張りは、それぞれ所定の操作によって開始される。
停電時、浴槽２５への湯張りは禁止され、シャワー２３及び蛇口２２への給湯のみが可能な状態となる。具体的には、停電時、浴槽２５への湯張りを行う際に用いられる開閉弁３４には、二次電池１６からの電力が供給されず、シャワー２３及び蛇口２２に給湯を行う際に用いられる電動機器には、必要に応じて、二次電池１６から電力が供給される。これは、停電時に、シャワー２３及び蛇口２２への給湯を優先するという設計思想によるものである。
【００３４】
バーナー装置２１は、通常時、商用電源１５から電力を供給されて作動し貯湯タンク１４内の湯の沸き上げを行い、停電時、二次電池１６から電力を供給されて作動し貯湯タンク１４内の湯の沸き上げを行う。
一回の停電につき行われる貯湯タンク１４の湯の沸き上げ回数には、予め設定される上限値（本実施の形態では、１〜３回）が設けられている。このため、一回の停電中に行われた貯湯タンク１４の湯の沸き上げが上限値に達すると、その停電が終わるまで、原則として新たな貯湯タンク１４の湯の沸き上げは行われない。これは、バーナー装置２１、即ち、ファン１１、ポンプ１３及びイグナイター１３ａの作動が、二次電池１６の電力消費を伴うので、この貯湯タンク１４の湯の沸き上げが制限無く行われるのを回避するためである。
【００３５】
但し、一回の停電中に行われた貯湯タンク１４の湯の沸き上げが上限値に達した後であっても、特定の作動スイッチによって貯湯タンク１４の湯の沸き上げが行われる状態にすることができる。
特定の作動スイッチとは、給湯リモコン４５及び浴室リモコン４６にそれぞれ設けられた特定の入力ボタンであり、給湯器１０の使用者は、この特定の入力ボタンを操作することによって、貯湯タンク１４の湯の沸き上げが行われる状態にすることが可能である。これは、上限値を超えて貯湯タンク１４の湯の沸き上げを行う際には、その旨を使用者に認識させるためのものである。
【００３６】
本実施の形態では、停電時の貯湯タンク１４の湯の沸き上げを行うタイミングが、貯湯タンク１４内の湯の温度に応じて異なっている。
貯湯タンク１４内の湯の温度が所定値以下の場合、貯湯タンク１４の湯の沸き上げは、停電時に貯湯タンク１４内の湯の温度を基準にして行われる。
貯湯タンク１４の湯の沸き上げを開始する基準となる貯湯タンク１４内の湯の温度をＴ１とすると、マイクロコンピュータ３７は、温度センサ２０を介して貯湯タンク１４内の温度を継続的に計測し、その計測された温度がＴ１以下になると、ファン１１、ポンプ１３及びイグナイター１３ａを作動して、貯湯タンク１４内の湯の沸き上げを開始する。
【００３７】
そして、マイクロコンピュータ３７は、温度センサ２０を介して貯湯タンク１４内の湯温が予め定められた温度になったのを検出すると、ポンプ１３の作動を止めて貯湯タンク１４内の湯の沸き上げを停止する。ファン１１は、ポンプ１３が停止してから所定時間、ポストパージのため作動を続け、その後、停止する。イグナイター１３ａは、液体燃料に点火する際にのみ作動する。
【００３８】
Ｔ１は３６〜５０℃の範囲の温度で、給湯リモコン４５あるいは浴室リモコン４６からの操作によってマイクロコンピュータ３７に入力され、マイクロコンピュータ３７はこのＴ１を停電時に貯湯タンク１４の湯の沸き上げを開始する温度として設定する。通常時に貯湯タンク１４の湯の沸き上げを開始する温度をＴ２とすると、Ｔ２はＴ１より高い温度であり、本実施の形態では６０〜７０℃の範囲の温度である。
このように、Ｔ２より低温のＴ１を、貯湯タンク１４の湯の沸き上げを開始する温度として採用することによって、停電時は、通常時に比べて貯湯タンク１４内の湯の沸き上げ回数を減少させることができ、結果として停電時の消費電力を抑制可能である。
そして、停電時の貯湯タンク１４の湯の沸き上げは、貯湯タンク１４内の湯がＴ１より５〜１０℃高い温度に達した時点で終了する。
【００３９】
次に、停電時に、貯湯タンク１４内の湯の温度が所定値を超えている場合の貯湯タンク１４内の湯の沸き上げ動作について説明する。なお、貯湯タンク１４内の湯の温度は、温度センサ２０によって計測される。
貯湯タンク１４内の湯の温度が所定値を超えている場合、貯湯タンク１４内の湯の沸き上げは、貯湯タンク１４が出湯するタイミングに合わせて行われる。
【００４０】
図１、図２に示すように、給湯流路２４には、貯湯タンク１４の湯の出側に、マイクロコンピュータ３７に信号接続された流量センサ４７が設けられ、マイクロコンピュータ３７は流量センサ４７によって貯湯タンク１４からの出湯を検出可能である。
マイクロコンピュータ３７は、貯湯タンク１４からの出湯を検出すると、貯湯タンク１４内の湯の沸き上げを開始し、貯湯タンク１４からの出湯が止まったのを検出すると、貯湯タンク１４内の湯の沸き上げを停止する。
【００４１】
そのため、停電時、貯湯タンク１４内の湯の温度が所定値を超えている状態では、放熱によって貯湯タンク１４内の湯温が下がっていても、蛇口２２やシャワー２３から出湯されない限り貯湯タンク１４内の湯の沸き上げは行われず、ファン１１、ポンプ１３及びイグナイター１３ａによる電力消費はなされない。従って、停電時、二次電池１６に蓄えられていた電力の使用量は低減され、蛇口２２及びシャワー２３を出湯可能な時間を延長できる。
【００４２】
以上、説明したように、本実施の形態では、停電時の貯湯タンク１４の湯の沸き上げタイミングが、貯湯タンク１４内の湯の温度に応じて異なっているが、停電時の貯湯タンク１４の湯の沸き上げタイミングを、貯湯タンク１４内の湯の温度によって変えないようにしてもよい。以下に、貯湯タンク１４内の湯の温度によって、停電時の貯湯タンク１４の湯の沸き上げタイミングを変えない変形例について説明する。
【００４３】
変形例では、貯湯タンク１４内の湯の温度に関わらず、停電時に、通常時と同様に、貯湯タンク１４内の湯の温度を基準にして、貯湯タンク１４の湯の沸き上げを開始する。
貯湯タンク１４内の湯の沸き上げを開始する温度は、停電時が通常時に比べて低く、貯湯タンク１４内の湯の沸き上げを終了する温度は、停電時と通常時で同じである。具体的な湧き上げ開始温度は、通常時が６０〜７０℃の範囲の温度で停電時が４０〜５０℃の範囲の温度である。
従って、停電時の貯湯タンク１４の湯の沸き上げ回数は通常時より減少し、点火時のイグナイター１３ａの消費電力及び消火後のファン１１のポストパージに要する消費電力分だけ、電力の消費が抑制されることになる。
【００４４】
以上、本発明の実施の形態を説明したが、本発明は、上記した形態に限定されるものでなく、要旨を逸脱しない条件の変更等は全て本発明の適用範囲である。
例えば、バーナー装置は、ガス燃料式のものであってもよい。ガス燃料式のバーナー装置を採用する場合、供給量調節手段は、ガス管に設けられた比例弁であって、燃焼部に供給されるガス燃料の流量は、比例弁の開度調整によって変化する。
また、浴槽内の湯を加熱する追焚き回路を設けてもよく、この場合、追焚き回路に設けられる電動機器については、停電時に電力供給がされないようにし、蛇口及びシャワーへの給湯を優先させることができる。
【符号の説明】
【００４５】
１０：給湯器、１１：ファン、１２：燃焼部、１３：ポンプ（供給量調節手段）、１３ａ：イグナイター（点火手段）、１４：貯湯タンク、１５：商用電源、１６：二次電池、１７：給水管、１８：減圧弁、１９：燃焼室、２０：温度センサ、２１：バーナー装置、２２：蛇口、２３：シャワー、２４：給湯流路、２５：浴槽、２６：湯張り流路、２９：混合弁、３０：比例弁、３１〜３３：温度センサ、３４：開閉弁、３５：制御装置、３６：電力供給回路、３７：マイクロコンピュータ、３８：コンバータ、３９：インバータ、４０：スイッチ、４１：サービス用コンセント、４２：筐体、４３：給気路、４４：温度センサ、４５：給湯リモコン、４６：浴室リモコン、４７：流量センサ
【図１】
0005839673.tif 000002
【図２】
0005839673.tif 000003